(57)【要約】      （修正有）【課題】インクをコンタクトレンズの外表面と内表面との間に転写することで、表面が平坦で且つ厚みを増すことなく、同時に安全性を向上させた、装着者の虹彩外観を変えるカラーコンタクトレンズを提供する。【解決手段】外表面１３と内表面１４とを有し中央光学領域１１と縁領域１２とからなるレンズ本体を備え、縁領域には装着者の虹彩外観の変化を可能とするインク層２１を有し、インク層は外表面と内表面との間に滲入し、外表面と内表面とは平坦な表面構造を形成する。中央光学領域の厚さは０．０４−０．１５ｍｍであり、縁領域の厚さは０．１８−０．２４ｍｍである。【選択図】図７
0003212424.tif 000002
【実用新案登録請求の範囲】
【請求項１】
カラーコンタクトレンズであって、
外表面と内表面とを有するとともに、中央光学領域と縁領域とからなるレンズ本体を備え、
前記縁領域は、前記外表面と前記内表面との間に滲入するインク層を有するとともに、当該外表面と当該内表面とは平坦な表面構造を形成し、厚さが０．１８ｍｍ乃至０．２４ｍｍであり、
前記中央光学領域は、厚さが０．０４ｍｍ乃至０．１５ｍｍであることを特徴とする、
カラーコンタクトレンズ。
【請求項２】
前記インク層は、一以上の幾何パターンを有することを特徴とする請求項１に記載のカラーコンタクトレンズ。
【請求項３】
前記中央光学領域は、直径が５ｍｍ乃至１０ｍｍであることを特徴とする請求項１に記載のカラーコンタクトレンズ。
【請求項４】
前記中央光学領域は、厚さが０．０６ｍｍ乃至０．１ｍｍであることを特徴とする請求項１に記載のカラーコンタクトレンズ。
【請求項５】
前記縁領域は、厚さが０．２２ｍｍであることを特徴とする請求項１に記載のカラーコンタクトレンズ。
【考案の詳細な説明】
【技術分野】
【０００１】
本考案は、カラーコンタクトレンズに関し、とりわけインクをコンタクトレンズの外表面と内表面との間に転写することで、装着者の虹彩外観を変えるコンタクトレンズに関する。
【背景技術】
【０００２】
コンタクトレンズは、現在すでに視力矯正に広く用いられているが、その製造技術の進歩に伴って機能性を向上して、異なる消費者のニーズに応えるべく、形状又は色の異なるものも設計され始めている。
【０００３】
ところで、カラーコンタクトレンズは、視力矯正以外に、虹彩色を変えたり、虹彩の形状を拡大したりすることが可能であり、また、眼の見た目も美しく深みが増すことから、女性の消費者に好評である。
【０００４】
従来のカラーコンタクトレンズの製造方法には、インク転写方式及び多層積層方式があるが、インク転写方式ではインクがレンズの表面に露出するものがあり、図１に示すようなレンズ本体８２の表面上に突出したインク層８１があるため、装着又は瞬きしたときに、外力接触の摩擦によってインク層が剥がれ落ちやすく、しかも突出したインク層ではコンタクトレンズ表面が平坦でなくなり、表面が粗く平坦ではなくなると、装着者の眼に異物感も生じやすくなる。
【０００５】
一方、多層積層式で製造されたカラーコンタクトレンズは、図２に示すように、インク層９１をレンズ本体９２、９３との間に介在させるものであって、インク層９１が摩擦によって剥がれ落ちたり表面が粗く平坦ではなくなったりするという問題はないが、多層構造であるが故に厚みが増して、酸素の通気性が不足してしまうために、装着者の快適性を阻害する方向に影響するうえに、多層構造のためにその製造コストも嵩んでしまう。
【０００６】
以上を鑑み、表面が平坦で且つ厚みを増すことなく、同時に安全性を向上させたカラーコンタクトレンズを如何に製造するか、ということが、本考案が解決するべき技術的課題である。
【考案の概要】
【考案が解決しようとする課題】
【０００７】
本考案の主な目的は、虹彩色、形状及び大きさをデコレーションして、眼を明るくし、深みを増すとともに、拡大する効果を奏し、しかも、カラーコンタクトレンズのインク色素が、コンタクトレンズの厚さの増加又は表面の非平坦を招来することなく、使用者が装着したときに、より快適で安全なカラーコンタクトレンズを提供することにある。
【０００８】
上記目的を達成するために、本考案では、外表面と内表面とを有し中央光学領域と縁領域とからなるレンズ本体を備え、このうち、縁領域はインク層を、これが外表面と内表面との間に滲入するように、有するとともに、外表面と内表面とが平坦な表面構造を形成し、中央光学領域の厚さは０．０４ｍｍ乃至０．１５ｍｍであり、縁領域の厚さは０．１８ｍｍ乃至０．２４ｍｍであるカラーコンタクトレンズを提供する。
【０００９】
上記好ましい実施形態において、インク層の組成物は、カラーパウダー、ヒドロキシエチルメタクリレート、メタクリル酸及びポリビニルピロリドンを含む。
【００１０】
上記好ましい実施形態において、インク層は一以上の幾何パターンを含む。
【００１１】
上記好ましい実施形態において、中央光学領域の直径は５ｍｍ乃至１０ｍｍである。
【００１２】
上記好ましい実施形態において、中央光学領域の厚さは０．０６ｍｍ乃至０．１ｍｍである。
【００１３】
上記好ましい実施形態において、縁領域の厚さは０．２２ｍｍである。
【図面の簡単な説明】
【００１４】
【図１】従来の転写技術を用いて製造したカラーコンタクトレンズの概略図である。
【図２】従来の多層構造をなすカラーコンタクトレンズの概略図である。
【図３】本考案の上型、下型構造及びインク転写方式の概略図である。
【図４】本考案の上型、下型構造及びゲル充填の概略図である。
【図５】本考案の上型、下型構造でゲルレンズを加圧製造する概略図である。
【図６】本考案のゲルレンズの平面図である。
【図７】本考案のゲルレンズの側面図である。
【考案を実施するための形態】
【００１５】
本考案の長所及び特徴、そしてこれを達成する方法は、例示的な実施例及び図面のより詳細な記述を参照することで、より理解しやすくなる。しかしながら、本考案は異なる形式で実現することができるものであって、しかもここで説明する実施例に限定されると理解されるべきではない。反対に、当業者にとっては、提供するこれら実施例は本願をして更に一貫性を持ち且つ全面的に、完全に本考案の範疇を表現している。
【００１６】
本考案はカラー分子３Ｄラップ技術（Ｂｉｏ‐Ｍｏｌｅｃｕｌｅ  ３Ｄ  Ｗｒａｐ，ＢＭＷ）を提示する。
当該技術を応用することで予め転写したカラーインク又は着色料を充填したゲルレンズ中に滲入させるとともに、ゲルレンズは転写したカラーインク又は着色料を完全に包み込むことで、カラーインク又は着色料を成型したカラーコンタクトレンズの中に安定的に付着させることができる。
【００１７】
本考案の上型、下型構造及びインク転写の概略図である図３を参照されたい。
図３に示すように、本考案でのカラーコンタクトレンズ製造用装置は、プラスチック材料（ポリプロピレン、Ｐｏｌｙｐｒｏｐｙｌｅｎｅ）製の上型７１と、下型７２とを備えており、このうち、上型７１は上型底部７３と上型側壁７５とを有する。一方、下型７２は下型底部７４と下型側壁７６とを有しており、上型７１と下型７２とが合わさった後、上型側壁７５と下型側壁７６とが互いに当接するとともに上型底部７３と下型底部７４との間に一定形状の隙間、例えば、コンタクトレンズの外形のような放物線曲面形状が形成される。
まず、円形中空又は任意形状のインク層２１を下型７２内の下型底部７４の上層表面に転写する。このうち、このインク層２１の組成物はカラーパウダー以外に、ヒドロキシエチルメタクリレート（ＨＥＭＡ）、メタクリル酸（ＭＡＡ）及びポリビニルピロリドン（ＰＶＰ）を含んでおり、これら組成物の特性によって、当該インク層２１はその後ゲルのレンズ中に滲入可能となっている。
【００１８】
続いて、本考案の上型、下型構造及びゲル充填の概略図である図４を参照されたい。
図４に示すように、ゲル充填物１０を下型７２内に添加すると同時に、ゲル充填物１０は転写したインク層２１も覆う。
【００１９】
その後、本考案の上型、下型構造でゲルレンズを加圧製造する概略図である図を参照されたい。
図５に示すように、上型７１を下型７２内に圧入して、上型７１の上型底部７３と下型７２の下型底部７４との間に形成された隙間がゲル充填物１０を加圧するとともに硬化のステップを実行する。これによって、インク層２１が硬化工程中にゲル充填物１０に滲入して、これがカラーコンタクトレンズを形成し、そしてゲル充填物１０の加圧硬化が完了した後に、図６及び図７に示すインク層２１を含むレンズ本体１となる。
【００２０】
本考案のカラーコンタクトレンズの平面図である図６、及び本考案のカラーコンタクトレンズの側面図である図７を再度参照されたい。
図６に示すように、製造されたカラーコンタクトレンズはレンズ本体１を備えており、レンズ本体１は中央光学領域１１と縁領域１２とからなり、縁領域１２にはインク層２１を有する。レンズ本体１の中央光学領域の直径Ｄ１は５−１０ｍｍであるが、一つの好ましい実施例においては、中央光学領域の直径Ｄ１は６．５−９ｍｍである。
【００２１】
図７に示すように、レンズ本体１は外表面１３と内表面１４とを有しており、レンズ本体１は中央光学領域１１と縁領域１２とからなり、縁領域１２はインク層２１を有している。
インク層２１の組成物の特性のため、インク層２１はゲル製レンズ本体１の外表面１３と内表面１４との間に滲入してレンズ本体１の中に完全に覆われてしまうので、レンズ本体１の外表面１３及び内表面１４はなおも平坦な表面構造となり、如何なる突起の構造もない。
また、前記中央光学領域１１の厚さは０．０４−０．１５ｍｍであるが、他の好ましい実施例においては、中央光学領域１１の厚さは０．０６−０．１ｍｍである。前記縁領域１２の厚さは０．１８−０．２４ｍｍであるが、好ましい厚さは０．２２ｍｍである。
【００２２】
本考案において、転写されたインク層２１は消費者のニーズに応じて、各種異なる大きさ、異なる色の幾何図形として製作することができる。色は、青色、水色、青緑色、青紫色、灰色、茶色、黄色又は緑色とすることができる。形状は蛇形、らせん形、星形、輻射線形、とんがり形、のこぎり歯形又は不規則模様形とすることができる。また、異なる色及び形状を互いに組み合わせることで、多彩な虹彩変化の効果を達成することができる。
【００２３】
従来技術に対し、本考案は内外表面のいずれもが平坦なカラーコンタクトレンズを提供するものであって、内外表面が平坦である構造により使用者が装着したときの異物感を減らすことができる。また、インク層はレンズ本体内に完全に覆われているため、インク層が眼に直接接触することなくレンズ上に安定的に付着するので、従来のカラーコンタクトレンズの色褪せ又は脱色等といった安全性が損なわれるという危惧を解決している。
本考案の製造方式は簡易で、かつコンタクトレンズが厚くなることはなく、同時に装着時の快適性及び安全性も向上する。よって、本考案は間違いなく産業的な価値を有する考案である。
【００２４】
本考案は当業者の思惑により様々な装飾・付加を行うことができるが、いずれも実用新案登録請求の範囲が保護するものから外れることはない。
【符号の説明】
【００２５】
１、８２、９２、９３  レンズ本体
１０  ゲル充填物
１１  中央光学領域
１２  縁領域
１３  外表面
１４  内表面
２１、８１、９１  インク層
７１  上型
７２  下型
７３  上型底部
７４  下型底部
７５  上型側壁
７６  下型側壁
Ｄ１  中央光学領域の直径
【図１】
0003212424.tif 000003
【図２】
0003212424.tif 000004
【図３】
0003212424.tif 000005
【図４】
0003212424.tif 000006
【図５】
0003212424.tif 000007
【図６】
0003212424.tif 000008
【図７】
0003212424.tif 000009